(57)【特許請求の範囲】
【請求項１】
トレイ内の蒸散剤を当該トレイの開口部を閉鎖した蒸散面から蒸散するカートリッジと、該カートリッジを装着する装着部が設けられた装置本体とを備え、
前記カートリッジの前記トレイに、前記蒸散剤を収容する互いに区画された複数の収容部が横並びに設けられるとともに、前記装置本体に、前記カートリッジを前記装着部に装着した状態で前記各収容部に収容された蒸散剤を加熱する加熱部と、前記各収容部から蒸散した蒸散剤を放出する放出部とが設けられた蒸散装置において、
前記トレイの開口部を閉塞した前記蒸散面を透明乃至半透明のガス透過性フィルムで構成して前記各収容部に収容された蒸散剤に異なる色彩を施す一方、
前記カートリッジを前記装着部に装着して使用する際に前記トレイの底面を傾斜乃至起立し前記各収容部を横方向に配列して配置した状態で当該カートリッジを保持するように前記装着部を構成し、前記加熱部の加熱源を前記各収容部の下寄りに配置するとともに、
前記カートリッジの挿入部を側方へ向けて開口し、装着時に下側に位置する前記カートリッジの下縁をガイドして当該カートリッジを前記装着部に装着可能に構成したことを特徴とする蒸散装置。
【発明の詳細な説明】
【技術分野】
【０００１】
本発明は、芳香剤等の蒸散剤を蒸散する蒸散装置に関する。
【背景技術】
【０００２】
従来、芳香剤を蒸散させる装置としては、蒸散装置としての芳香器が知られている（例えば、特許文献１）。
【０００３】
この芳香器のケーシングは、上面開口状に形成されており、このケーシングには、内部を左右に分割する仕切壁が設けられている。該仕切壁は、ヒータ板を内蔵しており、該ヒータ板は、コンセントプラグから供給される電源によって加熱されるように構成されている。
【０００４】
この仕切壁の両側部には、カートリッジが装着される装着部が設けられており、装着されたカートリッジは、トレイ底面が前記仕切板に接するように構成されている。
【０００５】
これにより、前記カートリッジは、その底面から前記ヒータ板からの熱を受け、収容された芳香液を加熱することで、加熱された芳香液をトレイを閉鎖する蒸散面から蒸散できるように構成されている。
【０００６】
このとき、前記仕切壁の両脇に形成された各装着部に異なる芳香液を収容したカートリッジを装着することで、異なる二種類の香りの芳香液を蒸散できるように構成されている。
【特許文献１】特開２００３−３０５１１３号公報
【発明の開示】
【発明が解決しようとする課題】
【０００７】
しかしながら、このような従来の芳香器にあっては、異なるカートリッジを背中合わせにセットするように構成されている。
【０００８】
このため、装置本体が厚肉になってしまい、壁面にあるコンセントに取り付けた場合、大きく飛び出てしまい、邪魔になるばかりか、歩行の際に引っ掛かってしまい、プラグやコンセントプラグを傷めてしまう恐れがあった。
【０００９】
本発明は、このような従来の課題に鑑みてなされたものであり、薄肉化を図ることができる蒸散装置を提供することを目的とするものである。
【課題を解決するための手段】
【００１０】
前記課題を解決するために本発明の蒸散装置にあっては、トレイ内の蒸散剤を当該トレイの開口部を閉鎖した蒸散面から蒸散するカートリッジと、該カートリッジを装着する装着部が設けられた装置本体とを備え、前記カートリッジの前記トレイに、前記蒸散剤を収容する互いに区画された複数の収容部が横並びに設けられるとともに、前記装置本体に、前記カートリッジを前記装着部に装着した状態で前記各収容部に収容された蒸散剤を加熱する加熱部と、前記各収容部から蒸散した蒸散剤を放出する放出部とが設けられた蒸散装置において、前記トレイの開口部を閉塞した前記蒸散面を透明乃至半透明のガス透過性フィルムで構成して前記各収容部に収容された蒸散剤に異なる色彩を施す一方、前記カートリッジを前記装着部に装着して使用する際に前記トレイの底面を傾斜乃至起立し前記各収容部を横方向に配列して配置した状態で当該カートリッジを保持するように前記装着部を構成し、前記加熱部の加熱源を前記各収容部の下寄りに配置するとともに、前記カートリッジの挿入部を側方へ向けて開口し、装着時に下側に位置する前記カートリッジの下縁をガイドして当該カートリッジを前記装着部に装着可能に構成した。
【００１１】
すなわち、前記カートリッジには、蒸散剤を収容する互いに区画された複数の収容部がトレイの底面に沿って並設されており、このカートリッジが装着される装置本体には、装着されたカートリッジの蒸散剤を加熱する加熱部が設けられている。
【００１２】
このため、前記各収容部に異なる蒸散剤を収容することによって、異なる蒸散剤を蒸散することができる。
【００１４】
また、前記装置本体には、装着部に装着されたカートリッジの蒸散面が対向する部位に、前記各収容部から蒸散された蒸散剤を放出する放出部が設けられている。
【００１５】
このため、前記各収容部に収容された異なる蒸散剤は、前記放出部から放出される。
【００１７】
さらに、蒸散剤の終点がわかりやすいとともに、デザイン性に優れる。
【００１９】
また、前記カートリッジの各収容部は横並びに配列されており、このカートリッジを装置本体の装着部に装着して使用する際には、前記トレイの底面が傾斜乃至起立されるとともに前記各収容部が横方向に配列して配置される。
【００２０】
このため、前記各収容部に収容された蒸散剤が蒸散に伴って減少した場合、蒸散剤は各収容部の下側に偏る。
【００２１】
このとき、前記蒸散剤をトレイの底面側から加熱する加熱部の加熱源は、前記各収容部の下寄りに配置されている。このため、各収容部の下側に貯留された蒸散剤は、前記加熱源からの熱によって加熱される。
【発明の効果】
【００２２】
以上説明したように本発明の蒸散装置にあっては、蒸散剤を収容する収容部をトレイの底面に沿って並設するとともに、装着されたカートリッジの蒸散剤を加熱する加熱部を装置本体に設けたので、平面状に配列された各収容部に異なる蒸散剤を収容することで、異なる蒸散剤を蒸散することができる。
【００２３】
このため、異なる蒸散剤を蒸散する際に、異なる蒸散剤が収容されたカートリッジを背中合わせに配置しなければならなかった従来と比較して、装置本体を薄肉化することができる。これにより、装置本体のコンパクト化を図ることができる。
【００２４】
また、装着部に装着されたカートリッジの蒸散面が対向する装置本体の部位に、前記各収容部から蒸散された蒸散剤を放出する放出部を設けることによって、前記各収容部に収容された異なる蒸散剤を前記放出部から放出することができる。
【００２５】
このため、この放出部を前面に設定することで、異なる蒸散剤を前方に放出することができる。これにより、異なる蒸散剤が異なる方向へ放出される場合と比較して、複数の蒸散剤を混合して放出する際の効果を高めることができる。
【００２６】
また、蒸散剤が壁面に沿って放出される場合と比較して、蒸散剤が壁面に与える影響を抑制することができる。
【００２７】
さらに、前記トレイの開口部を閉塞した前記蒸散面を透明乃至半透明のガス透過性フィルムで構成するとともに、各収容部に収容された蒸散剤に異なる色彩を施すことによって、蒸散剤の終点がわかりやすくすることができるとともに、デザイン性を向上することができる。
【００２８】
加えて、前記各収容部の蒸散剤が下側に偏る蒸散剤減少時であっても、前記各収容部の下寄りに配置された加熱源からの熱によって各収容部内の蒸散剤を効率よく加熱することができる。
【００２９】
これにより、蒸散剤減少時での蒸散効率の低下を防止する効果を得ることができる。
【発明を実施するための最良の形態】
【００３０】
以下、本発明の一実施の形態を図に従って説明する。図１は、本実施の形態にかかる蒸散装置１を示す図であり、該蒸散装置１は、消臭剤、芳香剤、防虫剤、殺虫剤等の蒸散剤を蒸散する装置である。この蒸散剤としては、ゲル状の薬剤や液状の薬剤が挙げられるが、本実施の形態では、液状の薬剤が用いられている。
【００３１】
この蒸散装置１は、図１及び図２に示すように、装置本体１１と、該装置本体１１に交換可能に装着されるカートリッジ１２とよって構成されている。
【００３２】
該カートリッジ１２は、図３にも示すように、樹脂製のトレイ２１と、該トレイ２１の開口部を閉鎖する蒸散面２２とからなり、該蒸散面２２は、液状の蒸散剤は通さず、蒸散され気化された蒸散剤は透過する透明乃至半透明のガス透過性フィルムで構成されている。
【００３３】
前記トレイ２１は、図４及び図５にも示すように、横長形状に形成されており、図４及び図５中、左寄りの部分に底面３１側へ突出した第一収容部３２と第二収容部３３とが膨出形成されている。前記第一収容部３２は、当該トレイ２１の図５中左方である先端側に配置されており、前記第二収容部３３は、図５中右方である基端側に配置されている。これにより、前記両収容部３２，３３は、前記トレイ２１の底面３１に沿って並設されるとともに、横並びに配列されている。
【００３４】
前記第一収容部３２は、図３及び図４に示したように、半円形状に形成されており、前記第二収容部３３も半円形状に形成されている。両収容部３２，３３は、弦を構成する辺が対向して配設されており、前記第一収容部３２は前記第二収容部３３と共に円形を成すように配置されている。
【００３５】
前記第一収容部３２と前記第二収容部３３との間には、両者を区画する区画部４１が上下に方向に延在しており、前記蒸散面２２を構成するガス透過性フィルムは、図４及び図５に示したように、前記各収容部３２，３３の外周部及び前記区画部４１に接着されている。これにより、隣接した前記両収容部３２，３３は、互いに区画されており、各収容部３２，３３には、異なる色彩の異なる蒸散剤が収容されている。
【００３６】
前記各収容部３２，３３の底面３１には、図４に示したように、半径方向に延在する線状凹部５１，・・・と、同心円上に延在する円弧状凹部５２，・・・とが形成されており、当該底面３１には、凹凸が形成されている。この凹凸によって、各収容部３２，３３は、補強されている。
【００３７】
前記トレイ２１の一般部６１は、前記両収容部３２，３３から図４中右方である基端側へ延出するように、その長さ寸法が設定されており、この基端側に延出した一般部６１によって着脱時に操作される舌片６２が構成されている。そして、この舌片６２の中央部には、図３から図５に示すように、底面側へ膨出形成された突起６３が形成されている。
【００３８】
前記装置本体１１は、図２に示したように、前面を形成する前ケース７１と、裏面を形成する裏ケース７２と、前記前ケース７１及び裏ケース７２内に収容される中ケース７３とによって構成されている。
【００３９】
前記前ケース７１は、円形リング状に形成されており、その横断面形状は、図６及び図７に示すように、前方に突出した円弧状に形成されている。この前ケース７１の裏面には、図６に示したように、後方に延出した円筒部７５，７５が突設されており、各円筒部７５，７５は、リブ７４，・・・によって側方から支持されている。
【００４０】
前記裏ケース７２は、図２に示したように、円形容器状の容器部８１を中心に構成されており、該容器部８１の外周部には、図６及び図７に示したように、横断面円弧状のリング部８２が形成されている。このリング部８２は、前記前ケース７１に対応した形状に形成されており、図６及び図８に示すように、図６中、右側の部位に切欠部８３が形成されている。このリング部８２には、図６に示したように、ネジ挿入部８４が凹設されており、該ネジ挿入部８４の底面には、タッピンねじ８５が挿入される挿入部８６が開設されている。
【００４１】
このリング部８２の外周縁には、図７に示したように、前方へ延出した凸条９１が形成されており、該凸条９１に対向する前記前ケース７１の周縁には、前記凸条９１が挿入される凹溝９２が形成されている。これにより、前記凸条９１を前記凹溝９２に嵌着した状態で、前記裏ケース７２を前記前ケース７１に連結するとともに、前記挿入部８４に挿入した前記タッピンねじ８５を前記前ケース７１の円筒部７５に螺入することで、前記裏ケース７２を前記前ケース７１に固定できるように構成されている。
【００４２】
前記容器部８１には、図６から図８に示したように、電子基板１０１が設けられており、該電子基板１０１からは、コンセントプラグ１０２，１０２が延出している。このコンセントプラグ１０２，１０２は、前記容器部８１を挿通して裏側へ延出しており、部屋の壁面Ｗなどに設けられたコンセントに差し込むことで、商用電源の供給を受けられるように構成されている。
【００４３】
前記電子基板１０１には、電子回路が形成されており、当該電子基板１０１の前記中ケース７３側の面には、発熱体としてのヒータ１１１が設けられている。該ヒータ１１１には、図８に示したように、加熱源としての加熱板１１２が面接した状態で固定されており、該加熱板１１２は、前記ヒータ１１１からの熱で加熱され、その熱を全面に伝導するように構成されている。
【００４４】
この加熱板１１２は、前記電子基板１０１の一端側に設けられており、前記コンセントプラグ１０２，１０２を壁面Ｗのコンセントに差し込んだ使用状態において、図７及び図８に示したように、下側に位置するように構成されている。
【００４５】
前記中ケース７３は、図２に示したように、円板状の前面部１２１と、該前面部１２１の周縁より後方へ延出した周面部１２２と、該周面部１２２の後端に設けられた後面部１２３とによって一体形成されており、該後面部１２３は、前記前面部１２１に対向して設けられている。
【００４６】
前記周面部１２２は、図２中、右方に切欠部１３１が設けられており、当該中ケース７３は、右方へ向けて開口している。これにより、この中ケース７３には、前記カートリッジ１２を挿入する挿入部１３２が側方へ向けて開口しており、当該中ケース７３には、前記カートリッジ１２を交換可能に装着する装着部１３３が前記前面部１２１と前記後面部１２３との間に形成されている。
【００４７】
前記周面部１２２の上部と前記前面部１２１とが接続された上側の接続部分には、図７に示したように、装着されたカートリッジ１２の上縁１２ａが挿入される上部挿入溝１４１が横方向に延設されており、前記周面部１２２の下部と前記前面部１２１とが接続された下側の接続部分には、装着されたカートリッジ１２の下縁１２ｂが挿入される下部挿入溝１４２が横方向に延設されている。
【００４８】
これにより、前記カートリッジ１２の上縁１２ａ及び下縁１２ｂを、対応する挿入溝１４１，１４２へ側方から挿入できるように構成されており、前記カートリッジ１２の上縁１２ａ及び下縁１２ｂを前記各挿入溝１４１，１４２に挿入して挟持することで、当該カートリッジ１２の前記トレイ２１の底面３１を起立した状態で保持できるように構成されている。
【００４９】
また、この起立状態において、当該カートリッジ１２の前記蒸散面２２を前記前面部１２１に面接できるように構成されており、前記上部及び下部挿入溝１４１，１４２によって前記カートリッジ１２が装着できる方向を規制し、前記蒸散面２２を前記後面部１２３側である後方へ向けて装着できないように構成されている。
【００５０】
さらに、前記上部挿入溝１４１から前記下部挿入溝１４２までの寸法は、前記カートリッジ１２の短辺方向での長さに基づいて設定されており、前記装着部１３３には、前記カートリッジ１２の長辺を縦にして挿入できないように構成されている。
【００５１】
これにより、当該装置本体１１の前記後ケース７２から延出した前記コンセントプラグ１０２，１０２を壁面Ｗのコンセントに差し込んで使用する使用状態において、前記装着部１３３に装着した前記カートリッジ１２の前記トレイ２１の底面３１を起立するとともに、前記各収容部３２，３３を横方向に配列して配置した状態で、当該カートリッジ１２を保持できるように前記装着部１３３が構成されている。
【００５２】
また、この使用状態において、図７に示したように、加熱部を構成する前記中ケース７３の前記後面部１２３の下寄りに加熱源を構成する前記加熱板１１２が配置されるように構成されている。
【００５３】
このカートリッジ１２の前記蒸散面２２が面接する前記前面部１２１の図２中下側の部位には、図２に示したように、横方向に延在する波形の左放出口１５１，・・・及び右放出口１５２，・・・がそれぞれ三カ所に開設されており、前記各左放出口１５１，・・・と前記各右放出口１５２，・・・とは、上下に延在する区画面１５３によって隔てられている。
【００５４】
図１中左側に設けられた前記左放出口１５１，・・・は、前記カートリッジ１２を前記装着部１３３に装着した状態で、前記第一収容部３２の前側に配置されるように構成されており、図１中右側に設けられた前記右放出口１５２，・・・は、前記第二収容部３３の前側に配置されるように構成されている。
【００５５】
これにより、前記カートリッジ１２の前記第一収容部３２から蒸散された蒸散剤を前記左放出口１５１，・・・から外部へ放出できるように構成されており、前記第二収容部３３から蒸散された蒸散剤を前記右放出口１５２，・・・から外部へ放出できるように構成されている。これにより、前記左右放出口１５１，・・・、１５２，・・・によって、前記各収容部３２，３３から蒸散された蒸散剤を放出する放出部が構成されており、前記コンセントプラグ１０２，１０２を壁面Ｗのコンセントに差し込んだ状態で、当該装置本体１１の前面側から前記蒸散剤を部屋の中心部へ向けて放出できるように構成されている。
【００５６】
そして、前記前面部１２１の図２中下縁には、横方向に延在する波形の下部凹部１６１が凹設されており、前記前面部１２１の図２中上縁部には、横方向に延在する波形の上部波形開口部１６２が開口している。
【００５７】
この前面部１２１に対向した前記後面部１２３の内側面は、平坦面で構成されており、前記装着部１３３に前記カートリッジ１２を装着した状態で当該カートリッジ１２のトレイ２１の底面３１が当該後面部１２３に密着するように該後面部１２３と前記前面部１２１との間隔が設定されている。
【００５８】
この後面部１２３は、図６及び図７に示したように、前記電子基板１０１に設けられた加熱部として前記加熱板１１２に密着するように構成されており、前記後面部１２３は、前記加熱板１１２によって加熱され、その熱が全面に伝達されるように構成されている。
【００５９】
これにより、この後面部１２３を介して前記カートリッジ１２の前記底面３１を全体的に加熱できるように構成されており、前記カートリッジ１２を前記装着部１３３に装着した状態で、前記各収容部３２，３３に収容された蒸散剤を前記トレイ２１の底面３１側から加熱する加熱部が前記後面部１２３によって構成されている。
【００６０】
以上の構成にかかる本実施の形態において、装置本体１１に装着されるカートリッジ１２には、互いに区画された第一収容部３２及び第二収容部３３がトレイ２１の底面３１に沿って並設されており、このカートリッジ１２が装着される前記装置本体１１には、装着されたカートリッジ１２の各収容部３２，３３内の蒸散剤を前記トレイ２１の底面３１側から加熱する加熱部としての中ケース７３の後面部１２３が設けられている。
【００６１】
このため、前記各収容部３２，３３に収容された異なる蒸散剤を同時に蒸散することができる。
【００６２】
したがって、異なる蒸散剤を蒸散する為に異なる蒸散剤が収容されたカートリッジを背中合わせに配置しなければならなかった従来と比較して、装置本体１１を薄肉化することができる。これにより、前記装置本体１１のコンパクト化を図ることができる。
【００６３】
また、前記装着部１３３に装着された前記カートリッジ１２の蒸散面２２が対向する前記装置本体１１の中ケース７３における前面部１２１には、前記各収容部３２，３３から蒸散された蒸散剤を放出する左放出口１５１，・・・及び右放出口１５２，・・・が開設されている。
【００６４】
このため、前記各収容部３２，３３に収容された異なる蒸散剤を前記各放出部１５１，・・・、１５２，・・・から放出することができる。
【００６５】
このとき、この放出部１５１，・・・、１５２，・・・は、当該装置本体１１の前面に設定されており、異なる蒸散剤を前方に放出することができる。このため、異なる蒸散剤が異なる方向へ放出される場合と比較して、複数の蒸散剤を混合して放出する際の効果を高めることができる。
【００６６】
また、前記放出部１５１，・・・、１５２，・・・は、当該装置本体１１のコンセントプラグ１０２，１０２を部屋の壁Ｗのコンセントに差し込んだ使用状態において、部屋の中心方向へ向けて開口するように構成されている。これにより、蒸散剤を部屋の中心方向へ向けて放出することができるので、蒸散剤が壁面に沿って放出される場合と比較して、蒸散剤が壁面に与える影響を抑制することができる。
【００６７】
さらに、前記トレイ２１の開口部を閉塞した前記蒸散面２２は、透明乃至半透明のガス透過性フィルムで構成されており、各収容部３２，３３に収容された蒸散剤は、異なる色彩が施されている。
【００６８】
このため、中ケース７３に開設された左放出口１５１，・・・及び右放出口１５２，・・・から透明乃至半透明のガス透過性フィルムで構成された前記蒸散面２２を介して、各収容部３２，３３に収容された蒸散剤の残量を覗くことができる。
【００６９】
また、前記各収容部３２，３３に収容された蒸散剤は、異なる色彩が施されている。このため、各蒸散剤の終点を分かりやすくすることができるとともに、デザイン性を向上することができる。
【００７０】
さらに、前記カートリッジ１２の各収容部３２，３３は横並びに配列されており、このカートリッジ１２を前記装置本体１１の前記装着部１３３に装着して使用する際には、前記トレイ２１の底面３１が起立されるとともに前記各収容部３２，３３が横方向に配列して配置される。
【００７１】
このため、前記各収容部３２，３３に収容された蒸散剤が蒸散に伴って減少した場合、蒸散剤が各収容部３２，３３の下側に偏ることとなる。
【００７２】
このとき、前記蒸散剤を前記トレイ２１の底面３１側から加熱する加熱源としての加熱板１１２は、前記各収容部３２，３３の下寄りに配置されている。このため、各収容部３２，３３の下側に貯留された蒸散剤を、前記加熱板１１２からの熱によって効率的に加熱することができる。
【００７３】
これにより、蒸散剤減少時での蒸散効率の低下を防止する効果を得ることができる。
【００７４】
なお、本実施の形態では、第一収容部３２と第二収容部３３とが横並びに配列されたカートリッジ１２を例に挙げて説明したが、この形態に限定されるものではなく、さらに３つ以上の複数の収容部を並設しても良い。
【００７５】
また、前記カートリッジ１２のトレイ２１に形成する収容部は、必ずしも横並びに並設する必要は無く、前記トレイ２１の底面３１を全体的に加熱できるのであれば、円形の収容部を周方向に四分割しても良い。
【００７６】
このとき、前記収容部の形状は、円形に限定されるものではなく、矩形状であっても良い。
【００７７】
なお、本実施の形態では、各収容部３２，３３に異なる蒸散剤としての薬剤を収納するものについて記載したが、各収容部３２，３３に同一の薬剤を収容してもかまわない。
【図面の簡単な説明】
【００７８】
【図１】本発明の一実施の形態を示す斜視図である。
【図２】同実施の形態の分解斜視図である。
【図３】同実施の形態のカートリッジを底面側から見た状態を示す斜視図である。
【図４】同実施の形態のカートリッジを示す底面図である。
【図５】同実施の形態のカートリッジを示す側面図である。
【図６】同実施の形態の要部を示す横断面図である。
【図７】同実施の形態の要部を示す縦断面図である。
【図８】同実施の形態の裏ケースを示す斜視図である。
【符号の説明】
【００７９】
１    蒸散装置
１１    装置本体
１２    カートリッジ
１２ｂ  下縁
２１    トレイ
２２    蒸散面
３１    底面
３２    第一収容部
３３    第二収容部
７１    前ケース
７２    後ケース
７３    中ケース
１１２    加熱板
１２３    後面部
１３２    挿入部
１３３    装着部
１５１    左放出口
１５２    右放出口
【図１】
0004828509.tif 000002
【図２】
0004828509.tif 000003
【図３】
0004828509.tif 000004
【図４】
0004828509.tif 000005
【図５】
0004828509.tif 000006
【図６】
0004828509.tif 000007
【図７】
0004828509.tif 000008
【図８】
0004828509.tif 000009